(57)【要約】【課題】扉体や壁板体を大型化することなく、且つ十分な空間容量が確保された個室空間を具備する折畳み式建家を提供する。【解決手段】折り重ねられた折畳み状態から、略平行に離間させて配設される展開状態へと展開することが可能な複数の仕切り壁板２であって、展開されると一対の該仕切り壁板２の間に個室空間Ｒが形成される仕切り壁板２と、一対の仕切り壁板２の間に折畳んで収納することが可能な背面壁体３、展開保持板４、前面壁体５、扉体６、及び屋根体７を具備する構成とする。また、背面壁体３の一部を折り曲げることによって形成された折り曲げ背面棚板１１や、前面壁体５と左壁板８との展開状態を補強する折畳み側面棚を具備している。【選択図】    図１
2006328841.tif 000002
【特許請求の範囲】
【請求項１】
折り重ねられた折畳み状態から、略平行に離間させて配設される展開状態へと展開することが可能な複数の仕切り壁板であって、水平方向に展開されると一対の該仕切り壁板の間に個室空間が形成される仕切り壁板と、
前記折畳み状態で、前記一対の仕切り壁板の間に折畳まれて収納され、前記展開状態で、前記個室空間の背面を閉鎖する折畳み背面壁体と、
前記折畳み状態で、前記一対の仕切り壁板の間に折畳まれて収納され、前記展開状態で、前記個室空間の前面の一部を閉鎖し、前記一対の仕切り壁板の展開状態を保持する展開保持板と、
前記一対の仕切り壁板を構成する一方の仕切り壁板に対して接続され、前記折畳み状態で、前記一対の仕切り壁板の間に折畳まれて収納され、前記展開状態で、前記個室空間の前面の一部を閉鎖する前面壁体と、
前記一対の仕切り壁板を構成する他方の仕切り壁板に対して接続され、前記折畳み状態で、前記一対の仕切り壁板の間に折畳まれて収納され、前記展開状態で、前記前面壁体と前記他方の仕切り壁板との間に形成される前記個室空間の出入り口部分を開閉可能に閉鎖する扉体と
を具備することを特徴とする折畳み式建家。
【請求項２】
前記展開状態で、前記折畳み背面壁体の一部を前記個室空間の内側に向かって折り曲げることで形成され、前記一対の仕切り壁板の間に差し渡されて配設され、上面に物品を載置可能な折り曲げ背面棚板をさらに具備する
ことを特徴とする請求項１に記載の折畳み式建家。
【請求項３】
前記前面壁体に接続され、前記折畳み状態で、前記一対の仕切り壁板の間に折畳まれて収納され、前記展開状態で、前記前面壁体と前記仕切り壁板との入隅部に介挿され、上面に物品を載置可能な折畳み側面棚をさらに具備する
ことを特徴とする請求項１または請求項２に記載の折畳み式建家。
【請求項４】
前記扉体の一部は、前記展開状態で、前記前面壁体の、前記個室空間に対して外側の面に接する状態で配設され、
前記扉体には、前記扉体の一部を折り曲げ可能に切り込むことによって形成された切込部が具備されており、
前記前面壁体には、前記展開状態で、該切込部に対応する位置に、該切込部を挿入可能な開口部を有しており、
前記展開状態で、前記切込部を該開口部に挿入すると共に、前記切込部を折り曲げて、前記前面壁体に対して密着させ着脱可能に取り付けることによって、前記個室空間を閉鎖状態にロックするロック機構をさらに具備している
ことを特徴とする請求項１乃至請求項３のいずれか一つに記載の折畳み式建家。
【発明の詳細な説明】
【技術分野】
【０００１】
本発明は、折畳み式建家に関するものであり、特に、複数の個室を備える折畳み式建家に関するものである。
【背景技術】
【０００２】
従来より、被災地、海水浴場、建設現場、または野外の催物会場等では、一定の期間だけ使用するための臨時設備として、仮設の建家が設置されることがある。ここで、仮設の建家としては、仮設トイレ、臨時更衣室、簡易シャワールーム、休憩室、または倉庫等が例示できる。
【０００３】
特に、被災地や、事故が起った際の高速道路上など、想定外の事態に直面している場所においては、大勢の人間が、比較的長い時間自由な移動を制限された状態で密集することとなる。このような状態では、例えば仮設トイレやシャワールームなど、プライバシーが確保された個室空間が緊急に必要となる。
【０００４】
こうした仮設の建家は、常設の建築物とは異なり、解体や構築を何度も繰り返す必要があるため、組立てが容易であることが要求される。また、被災地や事故で渋滞した高速道路上などに当該仮設の建家を搬入する際は、幹線道路が寸断されていたり、通行不可となっている場合が多いため、狭い道や路肩などを搬入経路として使う必要が生じる。従って、大型の運搬車輌を使用することができないため、小型で軽量な仮設建家が特に要求される。
【０００５】
そこで、本出願人は、簡易に組み立てることができ、且つ折畳むことでコンパクトに収納することができる仮設の建家として、図９（ａ）に簡略化して示す折畳み式建家を先に提案した（特許文献１）。なお、図９は、文献１に示す折畳み式建家を上方から見た場合における模式図である。文献１によれば、略長方形状の壁板体５２ａの一側面側を互いに連結（図９（ａ）、Ｃ点参照）して形成し、折り重ねられた折畳み状態から、連結されていない側面側Ｂを放射状に展開することで、複数の壁板体５２ａによって区切られた個室空間Ｒが形成される折畳み式建家５０が開示されている。個室空間Ｒは、具体的には、一対の壁板体５２ａの間に出入り口部分Ｅ及び上方が開放された状態で形成される空間であり、上方から見ると略三角形状を呈している。また、出入り口部分Ｅには、開閉自在に連結された扉体５３ａが具備されている。
【特許文献１】実用新案登録第３１０８９３６号公報
【特許文献２】特開平９−１７７１７５号公報
【発明の開示】
【発明が解決しようとする課題】
【０００６】
ところで、特許文献１によれば、展開状態で個室空間Ｒを利用する場合、出入り口部Ｅの間口の広さに比べて奥側の空間Ｏが狭まって構成されているため、利用者が窮屈に感じやすいという問題があった。そこで、図９（ｂ）に示すように、壁板体５２ｂ同士の接続角度Ｌを増大させ、出入り口部分Ｅ及び奥側の空間Ｏを増大させるという方法が考え得るが、この方法によれば、出入り口部分Ｅから奥側の空間Ｏまでの奥行きＳが狭まってしまい、個室空間Ｒの実質的な空間容量を拡大させることはできず、窮屈な印象を拭えなかった。また、出入り口部分Ｅが拡大するに伴って、扉体５３ｂを大型化せざるを得ず、扉の開け閉めが重くなるという問題があった。
【０００７】
また、図９（ｃ）に示すように、壁板体５２ｃのサイズを大型化し、個室空間Ｒの空間容量を増大させるという方法も考え得るが、この方法によれば、扉体５３ｃが大型化することに加え、さらに壁板体５２ｃも大型化し、折畳み式建家５０を折畳んだ状態でコンパクトに収納することが極めて難しくなるという問題があった。このように折畳み式建家５０が大型化すると、運搬に際して比較的大きな車輌が必要となり、事故現場や被災地のような、大型車の侵入が難しい場所へと運び込むことができないという問題があった。そこで、より個室空間Ｒの空間容量が大きく、且つ折畳んだ状態でコンパクトに収納することができる折畳み式建家が予てより望まれていた。
【０００８】
そこで、特許文献２に示すように、平面Ｉ形状断面を有する複数の仕切壁体１（なお、特許文献２の説明に用いられる符号は、明細書中記載のものを引用）を有するユニット建家も提案されている。これによれば、仕切壁体１を略平行且つ水平方向に展開することで、当該壁体１の間に収納されていた展開壁体２などが蛇腹状に展開され、隣接する仕切壁体１の間に、上方から見ると略四角形状を呈する個室空間を形成するものが開示されている。
【０００９】
特許文献２によれば、一対の仕切壁体１の間に、上方から見て略四角形状を呈する個室空間を形成することにより、出入り口部分に対して奥側の空間が狭まることのない、比較的開放的な個室空間を提供できる。しかし、特許文献２によれば、個室空間の出入り口部は、平板状のドア５のみによって前面が閉鎖される構成のため、ドア５の大きさを小型化することができず、当該前面と同じ程度の、比較的大きな板材を使用する必要があった。これにより、ドア５の開け閉めが重くなりがちであり、また、ドア５と仕切壁体１との連結部が疲弊しやすく、壊れやすいという問題があった。さらに、特許文献２によれば、ドア５が比較的大きな板材であるため、当該ドア５を安定して支持し、繰り返しの使用にも耐え得るように、強固な仕切壁体１を用いる必要がある。従って、仕切壁体１を小型化・薄型化することが困難であるという問題があった。
【００１０】
そこで、本発明は、上記の実情に鑑み、扉体や壁板体を大型化することなく、且つ十分な空間容量が確保された個室空間を具備する折畳み式建家の提供を課題とする。
【課題を解決するための手段】
【００１１】
本発明にかかる折畳み式建家は、「折り重ねられた折畳み状態から、略平行に離間させて配設される展開状態へと展開することが可能な複数の仕切り壁板であって、展開されると一対の該仕切り壁板の間に個室空間が形成される仕切り壁板と、前記折畳み状態で、前記一対の仕切り壁板の間に折畳まれて収納され、前記展開状態で、前記個室空間の背面を閉鎖する折畳み背面壁体と、前記折畳み状態で、前記一対の仕切り壁板の間に折畳まれて収納され、前記展開状態で、前記個室空間の前面の一部を閉鎖し、前記一対の仕切り壁板の展開状態を保持する展開保持板と、前記一対の仕切り壁板を構成する一方の仕切り壁板に対して接続され、前記折畳み状態で、前記一対の仕切り壁板の間に折畳まれて収納され、前記展開状態で、前記個室空間の前面の一部を閉鎖する前面壁体と、前記一対の仕切り壁板を構成する他方の仕切り壁板に対して接続され、前記折畳み状態で、前記一対の仕切り壁板の間に折畳まれて収納され、前記展開状態で、前記前面壁体と前記他方の仕切り壁板との間に形成される前記個室空間の出入り口部分を開閉可能に閉鎖する扉体とを具備する」ものである。
【００１２】
従って、本発明の折畳み式建家によれば、複数の仕切り壁板を略平行に離間させて展開することにより、一対の仕切り壁板の間に、上方からみると略四角形状を呈する個室空間が形成される。また、一対の仕切り壁板を展開すると、該仕切り壁板の間に折畳まれて収納されていた折畳み背面壁体が展開されて個室空間の背面を塞ぎ、且つ、同様にして折畳まれて収納されていた展開保持板、前面壁体、及び扉体が個室空間の前面を閉鎖する。従って、一対の仕切り壁板を、略平行に離間させて展開させるだけで、外部空間から隔離されている個室空間を簡易に形成できる。
【００１３】
さらに、本発明の折畳み式建家によれば、折畳み背面壁体、展開保持板、前面壁体、及び扉体は、一対の仕切り壁板の間に折畳まれ、互いに折り重なって干渉しないような大きさで設計され、収納されるため、保管時に、一対の仕切り壁板の間に凹凸無く平坦に収納できコンパクトにまとめることができる。従って、運搬が容易である。また、一対の仕切り壁板を略平行に離間させるだけで、これら部材を所定の位置へと配設することができるため、組立作業に際して特段の工具を用いる必要が無く簡便である。
【００１４】
また、本発明の折畳み式建家において、「前記展開状態で、前記折畳み背面壁体の一部を前記個室空間の内側に向かって折り曲げることで形成され、前記一対の仕切り壁板の間に差し渡されて配設され、上面に物品を載置可能な折り曲げ背面棚板をさらに具備する」ものとすることができる。
【００１５】
ここで、「折り曲げる」とは、例えば板厚の半分だけ切れ込みを入れ（所謂「ハーフカット」）、該切れ込み部を中心として所定の角度に折り曲げたり、または、可撓性を有する素材（合成樹脂や紙類等）を折り曲げる状態などを示し、蝶番のような特段の連結金具を用いることなく、何度も繰り返して折り曲げることができるものを示す。また、「差し渡されて」とは、一対の仕切り壁板の間に介在して掛け渡すように配設する状態であり、仕切り壁板と、前述の折り曲げられた舌片状の折畳み背面壁体との角度が、展開された状態で、略９０度となるように配設すると、より好ましい。また、「折畳み背面壁体の一部」とは、上部や下部、または中央部など、どのような部位であっても良いが、特に、上部付近を折り曲げる構成とすると、当該棚が、個室空間に入室した使用者の頭上に位置しやすいため、個室空間内での使用者の手や足の動作を妨げ難く、より好適である。
【００１６】
従って、本発明の折畳み式建家によれば、展開した状態において、一対の仕切り壁板の間に折畳み背面壁体の一部が折り曲げられて差し渡されることにより、仕切り壁板の展開状態が強固に保持できる。これにより、長時間安定して展開状態を保持でき、安定した状態で個室空間を利用できる。また、個室空間の背面に棚が具備されていることにより、棚の上面に備品や所持品などを載置することができるため、利便性の高い折畳み式建家を提供できる。さらに、別途、棚部材を組み立てて取り付ける場合などに比べて、折畳み背面壁体の一部を利用して棚板を構成できることから、組立作業をより迅速に、且つ楽にすることができ、便利である。また、折畳み背面壁体の一部を利用することから、一対の仕切り壁板の間に平坦に収納することができ、別途の棚部材を取り付ける場合に比べてコンパクトに収納することができる。
【００１７】
また、本発明の折畳み式建家において、「前記前面壁体に接続され、前記折畳み状態で、前記一対の仕切り壁板の間に折畳まれて収納され、前記展開状態で、前記前面壁体と前記仕切り壁板との入隅部に介装され、上面に物品を載置可能な折畳み側面棚をさらに具備する」ものであっても構わない。
【００１８】
ここで、「入隅部」とは、前面壁体と仕切り壁板との二つの面が出合った所の内側部分、すなわちコーナー部分を示す。
【００１９】
従って、本発明の折畳み式建家によれば、展開された状態において、仕切り壁板と前面壁体との入隅部に折畳み側面棚が配設されることにより、仕切り壁板と前面壁体との展開状態が、互いに略９０度の状態に安定して保持される。これにより、長時間の使用や繰り返しの使用に耐え得る安定した折畳み式建家が提供できる。さらに、仕切り壁板と前面壁体との入隅部に棚板が配設されることにより、該棚板の上面に手荷物など比較的小振りな物品を載置することが可能であり一層便利で使い勝手の良い折畳み式建家を提供できる。
【００２０】
また、本発明の折畳み式建家において、「前記扉体には、前記扉体の一部を折り曲げ可能に切り込むことによって形成された切込部が具備されており、前記展開状態で、該切れ込み部を前記前面壁体に対して着脱可能に取り付けることによって、前記個室空間を閉鎖状態にロックするロック機構を有している」ものとすることができる。
【００２１】
ここで、「折り曲げ可能に切り込む」とは、扉体の一部を切断して切片状の部材を切り出し、且つ該切片状の部材と扉体との一部を切り離さないようにして接続状態を維持する状態等が例示できる。より具体的には、当該切片状の部材と扉体との間に、前述したハーフカットの切込みを入れ、該扉体に対して自由な角度に折り曲げ可能に形成された切片状の部材が例示できる。
【００２２】
従って、本発明の折畳み式建家によれば、個室空間をロックできることにより、よりプライバシーが必要とされる空間、例えばトイレや更衣室、シャワー室などの使用に適した折畳み式建家が提供できる。また、扉体の一部を切り出してロック機構を構成していることから、一対の仕切り壁板の間に凹凸無く平坦に折畳むことができ、別途のロック機構を付加する場合に比べてコンパクトな折畳み式建家を提供できる。且つ、別途のロック機構を付加する必要が無いことから、経済的な折畳み式建家が提供できる。
【発明の効果】
【００２３】
このように、本発明の折畳み式建家によれば、一対の仕切り壁板を展開するだけで、該仕切り壁板の間に折畳まれて収納されていた折畳み背面壁体、展開保持板、前面壁体、及び扉体を所定の位置に配設し、外部から遮断された個室空間を形成できるため、組立て作業が迅速且つ簡単である。さらに、上方から見ると略四角形状を呈する個室空間を形成できることにより、出入り口部と奥側とを略等しい広さに形成できるため、仕切り壁板を放射状に展開した場合（すなわち上方から見ると略三角形状を呈する個室空間）に比べて使用者が閉塞感を感じ難く、快適な個室空間を提供できる。また、本発明のように略四角形状の個室空間を形成することにより、前述した略三角形状の個室空間に比べ、扉体や仕切り壁板を比較的大型化することなく十分な空間容量を確保することができる。従って、コンパクトで収納及び運搬が容易な折畳み式建家を提供できる。さらに、個室空間の前面を、前面壁体と扉体との協働で閉鎖することにより、扉体の大きさを小型化することが可能となる。よって、扉の開け閉めが軽くて快適であるばかりではなく、扉体と仕切り壁板との連結部も壊れ難く、且つ前面壁体によって展開状態が安定することにより、丈夫な折畳み式建家が提供できる。
【発明を実施するための最良の形態】
【００２４】
以下、本発明の実施形態である折畳み式建家について、図１乃至図８に基づき説明する。図１は本発明の折畳み式建家を展開した状態における全体斜視図、図２は折畳み式建家を展開した状態における平面図及び正面図、図３は折畳み式建家を折畳んだ状態における平面図及び正面図、図４は個室空間を形成する右壁板側及び左壁板側の構成図、図５は折畳み式建家の展開順序を説明する説明図、図６は折畳み式建家を展開した状態における入隅部の一部を拡大した説明図、図７は折畳み側面棚の組立て手順を示した説明図、図８はロック機構の使用方法を示す説明図である。なお、説明を簡略化するため、図１及び図２では、屋根体、扉体、及び前面壁体の一部を省略している。また、同様にして、図２（ｂ）の右側のゴミ箱を図略している。
【００２５】
折畳み式建家１は、図３に示すような、複数の仕切り壁板２が重なり合い、その間に折畳み背面壁体３（以下、単に「背面壁体３」と云う）、展開保持板４、前面壁体５、及び扉体６が折り畳まれて収納されている状態（以下、「折り畳み状態」と云う）から、図１、図２に示すような、仕切り壁板２が水平方向に略平行に展開され、隣り合う一対の仕切り壁板２の間に複数の個室空間Ｒが形成される状態（以下、「展開状態」と云う）にすることができるものである。なお、個室空間Ｒの個数としては、本実施形態においては三室のものを例示している。また、個室空間Ｒの使用用途としては、更衣室や資材置き場など使用者の任意によって適宜選択され得るものであるが、本実施形態においては、特にトイレ３０を設置した簡易トイレとしての折畳み式建家１を例示している。
【００２６】
図２（ａ）は折畳み式建家１を展開した状態における平面図、図２（ｂ）は正面図である。図２（ａ）に示すように、展開状態における個室空間Ｒは、上方から見ると略四角形状を呈した空間であり、左右側面側は、一対の仕切り壁板２で覆われ、上面側は、屋根体７で覆われている。そして、個室空間Ｒの前面側には、展開保持板４が配設されており、残された前面側の領域のうち、左側には前面壁体５が配設されている。さらに、前面壁体５の右側に形成される個室空間Ｒの出入り口部分は、扉体６で覆われており、扉体６を開放することで個室空間Ｒに出入り可能となる。また、個室空間Ｒの奥側には、トイレ３０が備えられている。ここで、仕切り壁板２、背面壁体３、展開保持板４、前面壁体５、及び扉体６は、燃焼時に毒性の強い有機塩素化合物を発生させない合成樹脂を原材料とする中空構造板で構成されている。なお、本実施形態で使用されている合成樹脂の中空構造体は、厚みの半分程度の切り込みを入れる（所謂「ハーフカット」）ことにより、該切り込みを中心として所定の角度に折り畳みむことができるよう形成される。なお、仕切り壁板２、背面壁体３、展開保持板４、前面壁体５、及び扉体６は、全て同じ厚み（本例においては約１０ｍｍ）の部材を用いている。
【００２７】
図３（ａ）は、折畳み式建家１の折畳み状態における平面図、図３（ｂ）は正面図である。仕切り壁板２は、図１乃至図３に示すように、略長方形の板材であり、展開状態において、略平行に離間して配置されることで、複数の個室空間Ｒ間を仕切る壁板となるものである。なお、仕切り壁板２の上部には、個室空間Ｒの上方を遮蔽する屋根体７が接続され、折畳み状態で一対の仕切り壁板２の間に挟みこまれて収納されているが、図３では図示を省略している。
【００２８】
仕切り壁板２を、より具体的に説明する。本実施形態においては、個室空間Ｒを構成する左側面側の仕切り壁板２を左壁板８、右側面側の仕切り壁板２を右壁板９と定義する。なお、三室のうち中央に位置する個室空間Ｒの右壁板９を構成する仕切り壁板２は、その裏面側において、右側に位置する個室空間Ｒの左壁板８を構成している。同様にして、中央に位置する個室空間Ｒの左壁板８を構成する仕切り壁板２は、その裏面側において、左側に位置する個室空間Ｒの右壁板９を構成している。仕切り壁板２の大きさとしては、折畳み式建家１の設置場所や使用目的に応じて適宜に設定されるが、本例においては、横幅は９５０ｍｍ、縦（個室空間Ｒの高さに該当）は、前面側（出入り口側）が１８００ｍｍ、背面側（奥側）が１７５０ｍｍのものを適用している。ここで、仕切り壁板２の縦の長さについて、前面側よりも背面側の方が短く設定されていることにより、展開状態で、個室空間Ｒの背面側の方が、前面側よりも低くなる。従って、屋根体７上に、前面側から背面側に向かう傾斜が発生するため、屋根体７上に溜まった水滴等が背面側に向かって排水され、ゴミや水が溜まり難く効果的である。
【００２９】
左壁板８には、図４（ａ）に示すように、背面壁体３、展開保持板４、及び前面壁体５が取り付けられている。左壁板８と、これら部材との取り付け方法は、特に限定されるものではないが、例えば公知の接着剤や粘着テープなどを用いて接続すると、蝶番等の連結部材を用いる場合に比べて、構造が簡単で軽量な折畳み式建家１（図１参照。以下同じ）を提供できるため、より好ましい。
【００３０】
背面壁体３は、展開状態で、個室空間Ｒ（図１参照。以下同じ）の背面側を遮蔽する部材であり、左側面側が左壁板８に、右側面側が右壁板９に接続されている。そして、左右横幅の略中央付近にハーフカットの切り込みＫ１が設けられており、折畳み状態で、一対の仕切り壁板２の間に折畳まれて収納される構造である。大きさとしては、横幅が７００ｍｍ、縦の長さが１６００ｍｍのものが適用されている。ここで、背面壁体３の縦の長さが仕切り壁板２の奥側の縦の長さ１７５０ｍｍよりも短く設定されていることにより、展開状態で、個室空間Ｒの背面側の足元に隙間Ｓ（本例では１５０ｍｍ）が生じる。よって、通気性の良い快適な個室空間Ｒを提供できる。背面壁体３は、背面展開保持部１０、折り曲げ背面棚板１１、入隅補強部１２を具備している。背面展開保持部１０は、展開状態で、個室空間Ｒの背面の一部を閉塞し、折畳み式建家１の展開状態を保持する部材であり、横幅は背面壁体３の横幅と略等しく、高さは１００ｍｍのものが例示できる。折り曲げ背面棚板１１は、展開状態で、個室空間Ｒの内側に折り曲げることによって棚を形成する部材であり、背面展開保持部１０の下部に形成されている。具体的には、背面展開保持部１０の下方に位置する背面壁体３を切り込むことによって形成されており、展開状態で、ハーフカットの切り込みＫ２を中心として個室空間Ｒの内側に向かって水平に折り曲げることにより、上面に物品を載置可能となる構成である。大きさとしては、横幅は背面壁体３の横幅と略等しく、高さ（棚の奥行き）は２５０ｍｍのものが例示できる。
【００３１】
なお、本例の折り曲げ背面棚板１１には、左壁板８または右壁板９に係合することで、上面に物品を載置した状態で当該折り曲げた状態を保持する保持係合部１４が具備されている。保持係合部１４は、折り曲げ背面棚板１１の左右両側面側に形成されており、裏面側（左壁板８または右壁板９と接する面）には、着脱自在に固定させるための図略の固定手段が具備されている。当該保持係合部１４を含む固定手段としては、例えば公知の面ファスナー、フック、ボタン等が例示できる。また、展開状態で、背面壁体３の一部である折り曲げ背面棚板１１を内側に折り曲げると、背面壁体３に、折り曲げ背面棚板１１の大きさ分の穴が空いたような状態となり、個室空間Ｒの内側が外部から見えてしまう恐れがある。従って、本例の背面壁体３には、折り曲げ背面棚板１１と略等しい位置に、当該部材と略等しいサイズの遮蔽材１５が具備されている。遮蔽材１５の材質としては、特に限定されるものではないが不透明な色のものが好ましく、また、シート状の材質を適用すると、折畳み状態で仕切り壁板２の間にコンパクトに収納でき、邪魔にならず好適である。
【００３２】
入隅補強部１２は、図４（ａ）及び図６に示すように、展開状態で、仕切り壁板２と背面壁体３との入隅部に介挿され、展開状態を補強する部材であり、背面壁体３の一部を切り込むことによって形成されている。入隅補強部１２には、展開状態で、仕切り壁板２に対して仮固定させるための係合部１６が設けられている。そして、係合部１６の裏面側には、係合部１６を仕切り壁板２に対して着脱自在に固定させるための図略の固定手段が具備されている。当該係合部１６を含む固定手段としては、保持係合部１４と同様のものが例示できる。また、展開状態で、入隅補強部１２を折り曲げて仕切り壁板２と背面壁体３との入隅部に介挿させた場合（詳細は後述する）は、背面壁体３に当該入隅補強部１２と同じ大きさの穴が空いたような状態となるため、前述の遮蔽材１５と同じく、入隅補強部１２を覆う遮蔽材１７が取り付けられている。
【００３３】
展開保持板４は、展開状態で、個室空間Ｒの前面側に配設され、仕切り壁板２の展開状態を保持する部材であり、左側面側が左壁板８に、右側面側が右壁板９に接続されている。そして、左右横幅の略中央付近に、ハーフカットの切り込みＫ３が設けられており、折畳み状態で、一対の仕切り壁板２の間に折畳まれて収納される構造である。大きさとしては、横幅が７００ｍｍ、縦が１００ｍｍのものが適用されている。また、展開保持板４及び背面展開保持部１０（後述する）の上端部には、図１に示すスライド部材１３が具備されている。スライド部材１３は、略コの字形の断面形状を有する部材であり、展開保持板４の上端部を挟み込むような状態で左右にスライド可能に取り付けられている。
【００３４】
前面壁体５は、展開状態で、個室空間Ｒの前面側に配設される部材であり、左側面側が左壁板８に接続されている。大きさとしては、横幅が２００ｍｍ、縦が１７００ｍｍのものが例示できる。前面壁体５には、展開補強部材２０、角穴１９、表示部２１、及びフランジ部２２が具備されている。展開補強部材２０は、前面壁体５を切り込むことによって形成されており、展開保持板４に対して着脱自在に取り付けることができる図略の係合部が具備されている。また、展開補強部材２０には、ハーフカットの切り込みＫ４及びＫ５が備えられており、大きさとしては、横幅が３０ｍｍ、縦が１００ｍｍのものが例示できる。角穴１９及び表示部２１は、後述するロック機構２６の一部を構成するものである。角穴１９は、扉体６（後述する）に具備されたロック部材１８を挿入する部位である。表示部２１は、個室空間Ｒの使用状態を表示する部位であり、表面が赤などの適宜の色で着色された領域である。
【００３５】
フランジ部２２は、展開状態において前面壁体５を安定して支持するため部材である。フランジ部２２は、展開状態においては前面壁体５に対して略垂直な方向へと展開されて地面に載置され、折り畳み状態においては前面壁体５の表面側（個室空間Ｒの外側に面する側面）へと重なり合うように折り畳まれる。また、フランジ部２２には、穴２４が穿設されており、ロープや杭等を通すことができるよう構成されている。大きさとしては、横幅が２００ｍｍ、縦が１９０ｍｍのものが例示できる。
【００３６】
前面壁体５には、図４（ａ）及び図７に示すように、折畳み側面棚２３がさらに具備されている。折畳み側面棚２３は、展開状態で、前面壁体５と左壁板８との入隅部に介挿され上面に物品を載置可能な部材である。折畳み側面棚２３を取り付ける位置としては、前面壁体５の右側面側であれば上部や中央部など、如何なる場所であっても良い。本例においては、下部側に取り付けているため、個室空間Ｒを簡易トイレとして使用するに際して、使用者がトイレ３０（図１参照）に着座した状態で折畳み側面棚２３上に載置された荷物（手荷物やトイレットペーパー等）に手を伸ばしやすく便利である。また、折畳み側面棚２３には、展開状態で左壁板８に対して着脱自在に仮固定することができる係合部２５が設けられている。係合部２５は、係合部１６と同様の構造であり、裏面側（左壁板８と接する面）に面ファスナー、フック、ボタン等の適宜の固定手段が設けられている。さらに、折畳み側面棚２３には、ハーフカットの切り込みＫ６、Ｋ７、Ｋ８が設けられており、個室空間Ｒの内側に向かって折り曲げることができるよう構成されている。なお、折畳み側面棚２３の大きさとしては、特に限定されるものでは無いが、本例のように、折畳み状態で背面壁体３と重ならない程度の大きさで構成すると、一対の仕切り壁板２を凹凸の無い平坦な状態（図３参照）で折畳むことができるため、より好適である。また、一側面側Ｔ１の長さは、前面壁体５の横幅（本例では２００ｍｍ）と略等しく構成されている。
【００３７】
左壁板８には、図４（ｂ）に示すように、背面壁体３、展開保持板４、及び扉体６が取り付けられている。扉体６は、個室空間Ｒの出入り口を開閉可能に塞ぐものであり、右端部側が、右壁板９に対して接続されている。扉体６の大きさとしては、横幅が５５０ｍｍ、縦が１４５０ｍｍのものが例示できる。なお、扉体６の縦の長さ及び取り付け位置としては、折畳み状態において、左壁板８に取り付けられた前面壁体５のフランジ部２２に対して重なり合わないよう配慮されている。このように構成することで、一対の仕切り壁板２を凹凸の無い平坦な状態（図３参照）で折畳むことができる。また、展開状態で、扉体６と地面との間に隙間が生じ、外部から個室空間Ｒの内部が見えてしまう恐れがあるが、本例では扉体６の下端部に遮蔽材２８が具備されていることにより、個室空間Ｒの内部を外界より効果的に遮蔽し、プライバシーが保たれるよう配慮されている。遮蔽材２８の材質としては、遮蔽材１５及び遮蔽材１７と同様のものが適用できる。
【００３８】
また、扉体６の横幅は、折畳み状態で背面壁体３に対して重ならない様に配慮されているのみならず、展開状態で、前面壁体５に対して一部が重なり合うような大きさに設定されている。例えば、本例においては、出入り口部分の間口（横幅の大きさ）は、背面壁体３の横幅と略等しい７００ｍｍであるが、これに対して、前面壁体５の横幅が２００ｍｍであり、扉体６の横幅が５５０ｍｍであるので、前面壁体５と扉体６とが約５０ｍｍの幅で重なり合うよう設定されている。このように構成することで、当該重なり合った部位に、本例に示すロック機構２６を設けることができる。
【００３９】
ロック機構２６は、扉体６の一部を切り込むことで構成されたロック部材１８、前面壁体５に設けられた角穴１９、表示部２１、及び被係合部２７（図８参照。以下同じ。）を具備している。なお、図示はしないが、ロック部材１８の裏面側（前面壁体５の裏面側と接触する面）には、被係合部２７に対応する係合部が設けられている。当該係合部及び被係合部２７の構成としては、係合部１６及び係合部２５と同様であるため、説明を省略する。なお、被係合部２７は、扉体６の裏面側（個室空間Ｒの内側）に設けられている。また、ロック部材１８には、ハーフカットの切り込みＫ９及びＫ１０（図８参照）が設けられている。なお、ロック部材１８が、本発明の「切込部」に、角穴１９が「開口部」に夫々該当する。
【００４０】
一方、仕切り壁板２の上方には、展開状態で個室空間Ｒの上部を覆う屋根体７（図１、図２参照）が具備されている。材質としては、特に限定されるものではないが、樹脂や布などのシート材等を適用すると軽量であるため好ましく、特に、合成樹脂から成るシート材を適用すると、防水性・耐候性・耐久性にも優れるため好適である。屋根体２は、図１に示すように、略四角形状を呈しており、右側辺側が右壁板９の上部に、左側辺側が左壁板８の上部に貼着されている。そして、個室空間Ｒの出入り口部の上方側に位置する側辺側には、折り曲げ部２９が延出されており、この折り曲げ部２９の裏面に貼着された図略の面ファスナーと、展開保持手段４の屋根体連結部３１とを係合させることにより、屋根体７の一辺側を地面に向けて垂下させることができる構成になっている。
【００４１】
また、複数の連結された仕切り壁板２のうち、最も左右の外側に位置する仕切り壁板２の外側面２ａ及び２ｂには、図１に示すように、ゴミ箱３２が取り付け可能である。ゴミ箱３２を構成する部材の材質としては、紙類や金属、木材等どのようなものであってもよいが、本例では仕切り壁板２等と同様の、合成樹脂を原材料とする中空構造板で構成されている。大きさとしては、高さが７００ｍｍ、間口が４５０ｍｍ×４５０ｍｍのものが例示できる。ゴミ箱３２と仕切り壁板２との取り付け方法は、特に限定されるものではなく、接着や溶着、面ファスナーを用いる方法など公知の固定手段が用いられる。構成としては、一対の平面板３２ａの間に、一対の側面板３２ｂが折畳まれて収納されているものなどが例示でき、一対の平面板３２ａを離間させ、側面板３２ｂを展開することによってゴミ箱３２として利用可能となる。
【００４２】
また、仕切り壁板２の外側面２ａ及び２ｂには図略の係合部が設けられており、仕切り壁板２の垂設状態を保持するためのウェイト板３３（図２参照）がさらに取り付け可能である。ウェイト板３３は、略等しい面積（例えば、２００ｍｍ×３００ｍｍ）の第一部材３３ａと第二部材３３ｂ（図２（ｂ）参照）とで構成されており、第一部材３３ａと第二部材３３ｂとの間にはハーフカットの切り込みが設けられている。ウェイト板３３の使用方法としては、図２（ｂ）に示すように、第一部材３３ａを外側面２ａまたは２ｂに対して係合させる。そして、切り込みを中心として第二部材３３ｂを水平方向に折り曲げ、地面上に載置する。そして、第二部材３３ｂ上に土嚢やブロックなどの重石を載せたり、または第二部材３３ｂに釘や杭を打ち込む等して地面に固定することにより、第一部材３３ａに係合されている仕切り壁板２を安定して支持することが可能となる。従って、風が強いような日であっても、安定して折畳み式建家１を利用することができ、効果的である。
【００４３】
続いて、本発明の折畳み式建家１の組み立て方法について、図１乃至図８を用いて説明する。まず、図３に示す折り畳み状態の折畳み式建家１を、仕切り壁板２が地面上に垂立する状態で載置する。その後、互いに重なり合う仕切り壁板２を平行に離間するようにして、広げる。そして、４枚の仕切り壁板２を均等に離間させて配置する。
【００４４】
この時、展開保持板４の左右両端部側が仕切り壁板２に接続されていることにより、仕切り壁板２が離間して展開されるに伴って、該仕切り壁板２に対して略垂直な方向（個室空間Ｒの前面を塞ぐ方向）へと展開保持板４が展開される。また、背面壁体３も、左右両端部側が仕切り壁板２に対して接続されているため切り込みＫ１を中心として展開され、個室空間Ｒの背面を塞ぐ方向に展開される。従って、一対の仕切り壁板２、背面壁体３、及び展開保持板４で囲まれた、上方から見ると略四角形状の個室空間Ｒが形成される（図１参照）。そして、スライド部材１３を切り込みＫ１及びＫ３の上端部へとスライドさせ（図１参照）、展開保持板４及び背面展開保持部１０が折れ曲がらないように固定する。
【００４５】
図５は、展開状態における個室空間Ｒを、横（出入り口部を図の左側、奥側を右側とする）から見た場合の説明図である。次に、図１及び図５に図示するように、背面壁体３の一部である折り曲げ背面棚板１１を、矢印３４に示すように個室空間Ｒの内側へ向かって折り曲げ、左壁板８と右壁板９との間に差し渡して配置する。この時、折り曲げ背面棚板１１に保持係合部１４が具備されているため、当該保持係合部１４を右壁板８及び左壁板９に係合させることで、折り曲げ背面棚板１１は、略水平な状態で保持される。そして、図５及び図６に図示するように、背面壁体３の一部である入隅補強部１２を、矢印３５のように個室空間Ｒの内側へ向かって折り曲げる。さらに、係合部１６を、仕切り壁板２に沿って矢印３６のように折り曲げ、仕切り壁板２に対して固定する。このように構成することで、仕切り壁板２と背面壁体３との展開状態、すなわち、互いに略垂直に配設された状態が補強され、展開状態が安定する。
【００４６】
次に、扉体６を個室空間Ｒの外側に向かって開放させ、前面壁体５よりも前方に位置させる。そして、前面壁体５を、左壁板８に対して略垂直な方向へと配設し、下端部のフランジ部２２を地面上に載置する（図５、矢印３７）。続いて、図４及び図５に示すように、前面壁体５の一部である展開補強部材２０を、切り込みＫ４に沿って個室空間Ｒの内側へ向かって折り曲げる。さらに、切り込みＫ５に沿って、展開保持板４に接するように（矢印３８）折り曲げ、図略の係合部を展開保持板４に対して係合させ、取り付ける。このように、前面壁体５を左壁板８に対して略垂直な方向、すなわち水平断面が略Ｌ字型となるように配設することで、左壁板８の垂設状態が補強され、展開状態が安定する。また、展開保持板４と前面壁体５とを連結することにより、展開保持板４の展開状態が前面壁体５によって補助され、より安定して展開状態を維持できるという効果を奏する。
【００４７】
なお、展開保持板４と前面壁体５とを一体的に（一つの部材として）形成する構成も考え得る。このように構成すると、より簡易かつ強固な構成で個室空間Ｒの前面を遮蔽することが可能となるが、係る構成によれば、扉体６と前面壁体５との重なり部（本例では約５０ｍｍ）が干渉して、扉体６を個室空間Ｒの外側に向かって開放させることができないという問題がある。これにより、使用者が個室空間Ｒの内側から外へと出る際に、扉体６を内側に向かって開く必要が生じるため、扉体６の移動範囲に物品を置けなかったり、使用者が身をよじって当該移動部分を避ける必要があり、比較的面倒である。
【００４８】
これに対し、本例の折畳み式建家１の構成によれば、展開保持板４と前面壁体５とを別体にて構成しているため、展開保持板４に対して前面壁体５を別個独立に動かすことができる。従って、仕切り壁板２を展開した状態で、前面壁体５を折畳んだ状態（つまり、個室空間Ｒの内側に向かって折畳んだ状態）にできるため、前面壁体５より前方に扉体６を位置させることが可能となる。これにより、扉体６を個室空間Ｒの外側に向かって開放することが可能となり、個室空間Ｒ内を広く使えて便利である。
【００４９】
次に、前面壁体５に接続されている折畳み側面棚２３を組み立てる。具体的には、図５及び図７に示すように、切り込みＫ６に沿って、折畳み側面棚２３を矢印３９のように折り曲げる。さらに、切り込みＫ７に沿って、矢印４０のように折り曲げ、一側面側Ｔ１を前面壁体５に添わせて配置する。ここで、一側面側Ｔ１の長さが、前面壁体５の長さと略等しく（本例では２００ｍｍ）形成されていることにより、一側辺側Ｔ１を前面壁体５に添わせるに伴って、他辺側Ｔ２が入隅部の左壁板８に添って配置される。そして、係合部２５を矢印４１のように折り曲げ、左壁板８に対して添わせて係合させる。このように構成することで、左壁板８と前面壁体５との入隅部に折畳み側面棚２３が配置されて展開状態（すなわち、互いに略垂直に配設された状態）が補強されると共に、折畳み側面棚２３の上面に物品等を載置することが可能となる。
【００５０】
そして、図１に示すように、屋根体７の折り曲げ部２９を展開保持手段４の屋根体連結部３１に対して係合させ、屋根体７の一辺側を地面に向けて垂下させる。なお、展開保持板４、前面壁体５、屋根体７、入隅補強部１２、及び折畳み側面棚２３を組み立てる順番としては上記に限定されるものではなく、どのような順番であっても構わない。続いて、個室空間Ｒ内をロックする手順を説明する。図５及び図８に示すように、扉体６の一部であるロック部材１８を、切り込みＫ９に沿って個室空間Ｒの内側に向かって折り曲げ、前面壁体５に穿設されている角穴１９に挿入する（矢印４２）。そして、挿入されたロック部材１８を切り込みＫ１０に沿って矢印４３に示すように折り曲げ、被係合部２７に対して図略の係合部を係合させる。このように構成することで、扉体６が前面壁体５に対して仮固定されロックされる。また、ロック部材１８を折り曲げることによって、前面壁体５にはロック部材１８と略等しい穴４４が空いたような状態となるが、ここで、前面壁体５の表面側に使用中であることが表示（本例では“赤”で着色）された表示部２１が設けられていることにより、当該穴４４を通して表示部２１が表面に露出する構成である。このように構成することで、個室空間Ｒの外側にいる人物に個室空間Ｒが使用中であることを提示することができる。従って、個室空間Ｒのプライバシーが確実に確保されるから、トイレ３０などを設置した場合、快適な簡易トイレとしての折畳み式建家１を提供できる。
【００５１】
以上のように、本例の折畳み式建家１によれば、特段の工具を用いることなく、一対の仕切り壁板２を展開するだけで左壁板８、右壁板９、背面壁体３、及び展開保持板４によって囲まれた個室空間Ｒを形成できるため、組立作業が迅速且つ簡単である。また、平面視にて略四角形状の個室空間Ｒであることにより、使用者が閉塞感を感じ難く、開放的な折畳み式建家１を提供できる。また、使用者が閉塞感を感じ難いことにより、仕切り壁板２を大型化する必要が無いため、比較的小型な折畳み式建家１を提供できる。
【００５２】
また、本例の折畳み式建家１によれば、個室空間Ｒの前方が、展開保持板４と前面壁体５との協働で閉鎖されているため、扉体６の大きさを必要最小限のサイズに小型化することが可能であり、開け閉めが容易である。また、扉体６を小型化できることにより、扉体６と仕切り壁体２との連結部が疲弊し難く、丈夫で長持ちする折畳み式建家１を提供できる。さらに、本例によれば、前面壁体５が左壁板８に対して垂直な方向に配設されるため、左壁体８の垂設状態が効果的に補強され、極めて安定した折畳み式建家１が提供できる。また、前面壁体５に展開補強部材２０が設けられているため、展開状態をより強固に保持することができ、好適である。
【００５３】
さらに、本例の折畳み式建家１によれば、仕切り壁板２に接続された部材（背面壁体３、展開保持板４、前面壁体５、及び扉体６等）が全て同じ厚みの部材で形成されており、且つ、折畳み状態で互いに重なり合わないような大きさ・位置となるよう配慮されていることから、図３に示すように凹凸無く平坦に折畳むことができ、運搬が容易である。また、折り曲げ背面棚板１１、ロック部材１８、展開補強部材２０、及び折畳み側面棚２３などの部材は、別個の部材を付加することなく、背面壁体３や前面壁体６、及び扉体６などの部材の一部を切り込むことによって形成しているため、平坦に折畳む動作を阻害することなく、極めてコンパクトな折畳み式建家１を提供できる。
【００５４】
また、本例の折畳み式建家１によれば、一対の展開された仕切り壁板２の間に折り曲げ背面棚板１１が差し渡されて配設されること、入隅補強部１２及び折畳み側面棚２３によって入隅部が補強されていること、スライド部材１３が備えられていること、及びウェイト板３３が取り付け可能であること等により、極めて強固で安定した個室空間Ｒを形成することができる。また、ウェイト板３３が着脱自在であることにより、例えば狭い場所に折畳み式建家１を設置する必要がある場合は、必要に応じてウェイト板３３を取り外すことができ、より設置自由度の高い折畳み式建家１が提供できる。さらに、本例の折畳み式建家１によれば、個室空間Ｒの内部に折り曲げ背面棚板１１や折畳み側面棚２３が備えられていることにより、使用者が当該棚上に自由に物品を載置させることができ便利である。また、仕切り壁体２の外側面２ａ及び２ｂにゴミ箱３２が接続されていることから、ゴミが捨てやすくて便利であるばかりではなく、仕切り壁板２の垂設状態も補強されて効果的である。
【００５５】
以上、本発明を実施するための最良の実施の形態を挙げて説明したが、本発明はこの実施の形態に限定されるものではなく、以下に示すように本発明の趣旨を逸脱しない範囲において、種々の改良および設計の変更が可能である。
【００５６】
すなわち、上記の実施の形態では、簡易トイレとしての折畳み式建家１を例示したが、この構成に限定されるものではなく、シャワー室、倉庫、更衣室、住居、その他個室としての機能を必要とするものなどに自由に適用することができる。また、一基の折畳み式建家１に形成される個室空間Ｒの数は、三室に限定されるものではなく、二室であってもよいし四室以上であってもよい。また、特に風が強い場所などに本例の折畳み式建家１を設置する場合には、ウェイト板３３に重石を乗せたり、フランジ部２２を杭などを用いて地面に固定することに加え、仕切り壁体２に鳩目の穴５０（図４参照）などを設け、当該穴５０にロープなどを通し電柱や木などに括り付けて連結させると、仕切り壁体２の展開状態がより安定し効果的である。また、仕切り壁体２に、照明器具を係止するための係止部を設けておくと、夜や雨天時など光量の少ない日でも快適に個室空間Ｒを使用することができ、好適である。
【図面の簡単な説明】
【００５７】
【図１】本発明の折畳み式建家の展開状態の構成を示す斜視図である。
【図２】（ａ）は折畳み式建家を展開した状態における平面図、（ｂ）は正面図である。
【図３】（ａ）は折畳み式建家を折畳んだ状態における平面図、（ｂ）は正面図である。
【図４】（ａ）は個室空間を形成する左壁板側の構成図、（ｂ）は右壁板側の構成図である。
【図５】折畳み式建家の展開順序を説明する説明図である。
【図６】折畳み式建家を展開した状態における入隅部の一部を拡大した説明図である。
【図７】折畳み側面棚の組立て手順を示した説明図である。
【図８】ロック機構の使用方法を示す説明図である。
【図９】従来の折畳み式建家を模式的に示す説明図である。
【符号の説明】
【００５８】
１  折畳み式建家
２  仕切り壁板
３  折畳み背面壁体
４  展開保持板
５  前面壁体
６  扉体
１１  折り曲げ背面棚板
１８  ロック部材（切込部）
１９  角穴（開口部）
２３  折畳み側面棚
２６  ロック機構
Ｒ  個室空間
【図１】
2006328841.tif 000003
【図２】
2006328841.tif 000004
【図３】
2006328841.tif 000005
【図４】
2006328841.tif 000006
【図５】
2006328841.tif 000007
【図６】
2006328841.tif 000008
【図７】
2006328841.tif 000009
【図８】
2006328841.tif 000010
【図９】
2006328841.tif 000011